(57)【特許請求の範囲】
【請求項１】
上下両端面開口の筒胴体１と、
上記筒胴体の下端部内に、外周面を筒胴体内面へ摺接させて上昇可能に嵌合させた底板11と、
上記筒胴体の上部外面へ下半筒部22を嵌合させて保持筒を起立すると共に、筒胴体上方へ突出する保持筒上半筒部24のうち、後半筒部24b を前半筒部24a および保持筒下半筒部22から切離し、かつ前後両半筒部の一端を肉薄ヒンジ25で連結すると共に他端には係合手段26を設けて着脱自在とし、更に後半筒部24b の内面からは保持筒上半筒部内面を上下に二分して閉塞するカッター27を突出するカッター付き部材21とからなり、
上記肉薄ヒンジ25を中心とするカッター付き後半筒部24b の回動で、保持筒上半筒部24内面をカッター27が開閉自在に形成した
ことを特徴とする棒状のゲル状物収納容器。
【請求項２】
保持筒の下半筒部22の上端に、筒胴体１の内径とほぼ同内径としたフランジ状頂板23を付設して該頂板を筒胴体上端面上へ載置させ、かつフランジ状頂板23の内径と保持筒上半筒部24の内径とを同径とした
ことを特徴とする請求項１記載の棒状のゲル状物収納容器。
【請求項３】
カッター27の前半側外縁が形成するカッター刃29が前半筒部24a 内面に接する位置を、該前半筒部24a 上面の下方へ、適当間隙をおいて定めた
ことを特徴とする、請求項１又は２記載の棒状のゲル状物収納容器。
【発明の詳細な説明】
【０００１】
【発明の属する技術分野】
本発明は、棒状のゲル状物収納容器に関する。
【０００２】
【従来の技術】
例えば顔面使用のパック剤として、薬液を含浸させた紙又は布を、一枚宛気密に包装して容器体内に収納したもの、又均等厚みに切断した多数チーズ片を一枚宛紙袋で包装し、或いは包装しないまま多数紙箱内に収納させたものが知られている。
【０００３】
【発明が解決しようとする課題】
上記のように薬液含浸紙等を一枚宛気密包装等することは開封が面倒であり、手数がかかる。そのように予め薄片としておく理由は、消費者の使用の便宜のためであるが、その気化防止のための気密包装が必要な場合が生じ、更にコストを押し上げることとなる。
【０００４】
本発明は上記のようなゲル状物の気化防止等のために棒状物のまま容器内に収納し、又該棒状収納物を使用の都度、使用に適する薄片化することが容易なカット機構をその容器体に付設したものであり、このようにすることで上記従来の欠点を除去するものである。
【０００５】
【課題を解決するための手段】
第１の手段として上下両端面開口の筒胴体１と、
上記筒胴体の下端部内に、外周面を筒胴体内面へ摺接させて上昇可能に嵌合させた底板11と、
上記筒胴体の上部外面へ下半筒部22を嵌合させて保持筒を起立すると共に、筒胴体上方へ突出する保持筒上半筒部24のうち、後半筒部24b を前半筒部24a および保持筒下半筒部22から切離し、かつ前後両半筒部の一端を肉薄ヒンジ25で連結すると共に他端には係合手段26を設けて着脱自在とし、更に後半筒部24b の内面からは保持筒上半筒部内面を上下に二分して閉塞するカッター27を突出するカッター付き部材21とからなり、
上記肉薄ヒンジ25を中心とするカッター付き後半筒部24b の回動で、保持筒上半筒部24内面をカッター27が開閉自在に形成した。
【０００６】
第２の手段として、上記第１の手段を有すると共に保持筒の下半筒部22の上端に、筒胴体１の内径とほぼ同内径としたフランジ状頂板23を付設して該頂板を筒胴体上端面上へ載置させ、かつフランジ状頂板23の内径と保持筒上半筒部24の内径とを同径とした。
【０００７】
第３の手段として、上記第１又は第２の手段を有すると共にカッター27の前半側外縁が形成するカッター刃29が前半筒部24a 内面に接する位置を、該前半筒部24a 上面の下方へ、適当間隙をおいて定めた。
【０００８】
【発明の実施の形態】
本発明容器は、筒胴体と、底板と、カッター付き筒部材とからなり、通常キャップを嵌合させて形成する。
【０００９】
筒胴体１は、上下両端面開口であるが、筒胴体下端に内向きフランジ２を付設して後述底板の下方抜出しを防止している。
筒胴体上部は小外径部として該小外径部の上下方向中間に嵌合突条３を周設し、又その小外径部下方筒部分の上端には後述カッター付き筒部材下端面を支持させるための外向きフランジ４を付設している。尚筒胴体前面には目盛り５を表示している。
【００１０】
底板11は、上記筒胴体内壁面へ気密に接する短筒12の中間部内面に底壁13を横設し、該底壁から同心円の大小複数の短管14を垂下し、それ等下端面を底板押上げ用の押圧面としている。又上記短筒の上下を同外径とし、かつ中間部を小外径として筒体内壁面との接触面積を挟めて底板上昇時の摩擦抵抗を減少させている。
【００１１】
カッター付き部材21は、上記筒胴体の上部外面へ下半筒部22を嵌合させて保持筒を起立すると共にその下半筒部の上端内面へ内向きにフランジ状頂板23を付設して筒胴体１上面へ載置させている。
【００１２】
又フランジ状頂板23の内径は筒胴体１の内径と同径としており、フランジ状頂板内周から起立する保持筒の上半筒部24内径もフランジ状頂板と同内径としている。
【００１３】
保持筒上半筒部24のうち、後半筒部24b は前半筒部24a および保持筒下半筒部22から切離し、かつそれ等前後両半筒部24a,24b の一端を肉薄ヒンジ25で連結すると共に他端には係合手段26を設けて着脱自在としている。更に後半筒部24b 内面からは保持筒上半筒部内面を上下に二分して閉塞するカッター27を突出する。
保持筒下半筒部22の下端面は図１が示すように既述筒胴体の外向きフランジ４上面へ載置させ、又保持筒下半筒部内面に凹溝を周設させて、該凹溝内へ嵌合突条３を嵌合させている。係合手段26は図２が示すように前後両半筒部24a,24b の他端面相互を突合せた状態を保持でき、又図３が示すようにその係合を外して上記カッター27を保持筒上半筒部の内面から外方へ移動させることが可能とする。図示例では前半筒部24a の他端外縁に凹部28を設け、又後半筒部24b の他端外縁から上記凹部内へ嵌合する薄板部29を突出させ、上記各半筒部の他端面突合せ時に凹部28内に薄板部29が嵌合され、かつそれ等両部の一方に付設した突部が他方に設けた窪み内へ嵌合するよう設けている。
【００１４】
後半筒部24b から前方へ突出するカッター部分外縁は肉薄としてカッターの刃30に形成し、上記両半筒部の他端面突合せ時に刃30が接する、前半筒部内壁面は図２が示すように、前半筒部24a 上面との間に適当間隙をおいた下方へ接するよう設け、その適当間隙が、後述棒状のゲル状物切断の際に、切断されるゲル状物薄片の前半側の側面を前進不能に支持してその切断が容易であるよう設けるとよい。
【００１５】
31はカッター付き部材21外面へ着脱自在に嵌合させたキャップである。
【００１６】
上記各部材はそれぞれ合成樹脂材で一体成形するが、カッター27は金属で形成してその後半部外縁を後半筒部内面へ設けた溝内へ固着させてもよい。
【００１７】
上記構成において、筒胴体１内へ棒状のゲル状物41を嵌合させておき、キャップ31を外し、又カッター付きの後半筒部24b を図３のように外方へ開いた状態から底板11を押上げ、カッター付き後半筒部24b を閉じ、元の位置へ戻せばゲル状物41上部はカッター27により切断されて薄片として分離される。上記操作を繰返すことで所望数のゲル状物薄片を得ることが出来る。
【００１８】
【発明の効果】
本発明は既述構成とするもので、上下両端面開口の筒胴体１の下端部内に底板11を上方押上げ可能に嵌合させ、又筒胴体上端にはカッター付き部材21を嵌合させたから、ゲル状物を棒状のまま筒胴体内へ入れておき、使用時には底板により押上げ、薄片状等にカットして使用でき、よってゲル状物を予め薄片状に切断したり、又その各薄片を包装等する必要はなく、又ゲル状物は棒状のままでよいから、該ゲル状物の乾燥、気化等も防止できる。
【００１９】
又カッター付き部材21は、筒胴体の上部外面へ下半筒部22を嵌合させて起立させた保持筒の上半筒部24のうち、後半筒部24b を前半筒部24a および下半筒部22から切離し、かつ前後両半筒部の一端を肉薄ヒンジ25で連結すると共に他端には係合手段26を設けて着脱自在とし、後半筒部24b の内面からは保持筒上半筒部分内面を上下に二分して閉塞するカッター27を突設したから、そのカッター付き後半筒部24b を肉薄ヒンジ25を中心として外方へ開き、かつ棒状ゲル状物を押上げて再び元の位置へ戻すことでゲル状物を薄片状に切断することが容易である。
【００２０】
請求項２のように、保持筒の下半筒部22上端に、筒胴体１内径とほぼ同内径のフランジ状頂板23を付設し、該頂板を筒胴体上端面上へ載置させ、かつフランジ状頂板内径と保持筒上半筒部24の内径とを同径とすることで、筒胴体１内面とフランジ状頂板内面と保持筒上半筒部の内面とを面一に連続させることができ、よって容器内ゲル状物外周面の全体を、上記筒胴体、フランジ状頂板、カッター27下方の保持筒上半筒部内面へほぼ気密に接触させることが出来、容器内棒状ゲル状物の乾燥気化等を防止できる。
【００２１】
請求項３のようにカッターの刃が、前半筒部24a 内面に接する位置を前半筒部上面の下方に、適当間隙をおいて定めることで、カッター付き後半筒部24b を元の位置に戻してカッターでゲル状物を切断する際、切断される薄片の前方側周縁部は、上記前半筒部の間隙部分により切断終了まで確実に支持されることとなり、よって上記切断を容易かつ迅速に行うことが出来る。
【図面の簡単な説明】
【図１】  本発明容器の半断面図である。
【図２】  図１容器からキャップを外して示す斜視図である。
【図３】  図２の状態から、カッター付き後半筒部を開いた状態で示す斜視図である。
【符号の説明】
１  …筒胴体                11  …底板
21  …カッター付き部材      22  …下半筒部
23  …フランジ状頂板        24  …上半筒部
24a …前半筒部              24b …後半筒部
27  …カッター
【図１】
0003856970.tif 000002
【図２】
0003856970.tif 000003
【図３】
0003856970.tif 000004